(57)【要約】【課題】  磁気駆動型アクチュエータにおいて、部品点数を削減してコストダウンを図るとともに、薄型化を達成する。【解決手段】  磁気駆動型アクチュエータの筐体であるサブパネルにボイスコイルとダンパーの一端とを固定するとともに、前記ダンパーの他端をヨークとこのヨーク上に固定された磁石とこの磁石上に固定されたトッププレートとから成る磁気回路部に固定して成る磁気駆動型アクチュエータにおいて、前記サブパネルの一部を前記磁気回路部の外周部より外側に突出させた延出部を形成し、該延出部にコイル端子を設けて前記ボイスコイルのコイル端末を接続するとともに、前記ヨークにおける前記延出部のコイル端末通過部分に対応する位置に切欠部を形成している。【選択図】      図２
2006166150.tif 000002
【特許請求の範囲】
【請求項１】
磁気駆動型アクチュエータの筐体であるサブパネルにボイスコイルとダンパーの一端とを固定するとともに、前記ダンパーの他端をヨークとこのヨーク上に固定された磁石とこの磁石上に固定されたトッププレートとから成る磁気回路部に固定して成る磁気駆動型アクチュエータにおいて、前記サブパネルの一部を前記磁気回路部の外周部より外側に突出させた延出部を形成し、該延出部にコイル端子を設けて前記ボイスコイルのコイル端末を接続するとともに、前記ヨークにおける前記延出部のコイル端末通過部分に対応する位置に、切欠部を形成したことを特徴とする磁気駆動型アクチュエータ。
【請求項２】
前記延出部のコイル端末通過部分は保護コートされていることを特徴とする請求項１記載の磁気駆動型アクチュエータ。
【請求項３】
前記サブパネルの延出部にリードフレームを埋設し、該リードフレームに前記コイル端子を形成したことを特徴とする請求項１又は請求項２記載の磁気駆動型アクチュエータ。
【請求項４】
前記リードフレームの一部はユーザー端子として前記延出部の上下両面に露出していることを特徴とする請求項３記載の磁気駆動型アクチュエータ。
【発明の詳細な説明】
【技術分野】
【０００１】
本発明は、携帯電話等の移動体通信機器に組み込まれ、パネルを振動させることによる着信音により着信を知らせ、また、音声などの受信音の再生を目的とする磁気駆動型アクチュエータに関する。
【背景技術】
【０００２】
従来、携帯電話やＰＤＡ等の移動体通信機器などの各種電子装置の振動板であるパネルに組み込まれ、音声を出力するタイプのスピーカを構成する磁気駆動型アクチュエータが知られている（例えば、特許文献１参照）。
【０００３】
従来のこの種の磁気駆動型アクチュエータの一例について図面を用いて説明する。図５は従来の磁気駆動型アクチュエータの平面図、図６は図５のＥ−Ｅ断面図であり、後述する携帯機器のパネルに取り付けた構成を示している。
【０００４】
まず、この磁気駆動型アクチュエータの構成を説明する。図５及び図６において、５１は磁気駆動型アクチュエータであり、５３は樹脂成形品から成る磁気駆動型アクチュエータ５１の筐体であるサブパネルであり、外筒部５３ａの上端に上部開口５３ｂを有する上面を接続した形状を成しており、下端には下部開口５３ｃを有している。また、上面には後述するパネルとダンパー間に密閉された空気圧がダンパーの振動を抑制しないように外部へ通じる空気逃がし開口部となる５カ所の凹部５３ｄが形成されている。
【０００５】
４はサブパネル５３の下部開口５３ｃを覆って固定された背面メッシュである。５はエナメル被覆銅線であるコイル巻き線を矩形断面を有する環状に巻回した空芯のボイスコイルである。５６は紙管又は樹脂管からなる筒形のフォーマーであり、フォーマー５６の上部はサブパネル５３の上面に固定されている。ボイスコイル５はフォーマー５６の外周に沿って固定されている。５７は波形にくびれた略逆Ｌ字形断面を有する環状のダンパーであり、上端はフォーマー５６の上端内面に、下端は内側に略直角に曲げられている。
【０００６】
５８は磁性体から成る皿状のヨークであり、側面の一部は外側へ延出してサブパネル５３の外筒部５３ａの窓穴を貫いていて延出部５８ａとなってる。９は永久磁石であり、ヨーク５８の中央に固定されている。１０は中央に貫通穴１０ａを有する枠状の磁性体から成るトッププレートである。ヨーク５８、磁石９及びトッププレート１０とで磁気回路部６１を構成している。１２はダンパー５７の下端をトッププレート１０の貫通穴１０ａを経て磁石９面に接合している接着剤である。
【０００７】
６３はボイスコイル５近傍でコイル端末５ａと接続されている錦糸線であり、接続部はフォーマー５６に固定されている。６４はヨーク５８の延出部５８ａに固定されている回路基板であり、回路基板６４上には一対の外部接続端子であるユーザー端子６４ａと、外筒部５３ａの窓穴を通る錦糸線６３の端部を半田付けする一対の配線パターン６４ｂとが配設されており、両端子６４ａと６４ｂとは導通している。前記窓穴は錦糸線６３を半田付け後に樹脂等で塞がれる。トッププレート１０の側面とヨーク５８上端との隙間である磁気ギャップ内にフォーマー５６とともにコイル５が位置している。
【０００８】
次に、磁気駆動型アクチュエータ５１を携帯機器等に搭載する方法を説明する。図６において、２０は磁気駆動型アクチュエータ５１を貼着した携帯機器の振動板としてのパネルであり、例えばアクリル樹脂から成り携帯電話等の液晶画面前に配設されている。２１はサブパネル５３の上面とパネル２０下面とを貼着している両面粘着テープである。磁気駆動型アクチュエータ５１を携帯機器等へ搭載するときには、ユーザー端子６４ａにおいて客先基板側への半田付け等の処理を行う。
【０００９】
次に、この磁気駆動型アクチュエータ５１の作用を説明する。ボイスコイル５に入力される駆動信号の周波数により、コイル５に発生する起磁力と磁石９の磁力との相互干渉作用により、コイル５と磁気回路部６１との相対変位が起きてダンパー５７が振動する。磁気回路部６１はダンパー５７によりサブパネル５３に弾性支持されているので、磁気回路部６１の振動がサブパネル５３を介してパネル２０に伝わり、又一方では磁気回路の磁気ギャップにより反発したコイルの駆動力もパネルに伝わり、磁気駆動型アクチュエータ５１を取り付けた携帯機器等のパネル２０が共振して音響出力を発生する。
【００１０】
しかしながら、上記構成による磁気駆動型アクチュエータ５１においては、磁気回路部６１が共振点で激しく振動するため、ここにボイスコイル５のコイル端末５ａのような径の小さな金属線を這わせると断線を引き起こす可能性がある。このため、コイル端末５ａをボイスコイル５近くで錦糸線６３に半田付け等により接続し、この半田付部をフォーマー５６に接着等で固定している。そして、この固定部位から回路基板６４側の半田付部６５まで錦糸線６３を各極性（２本）ごとに引き回して半田付けする。このため、部品費並びに工数の増大があり、さらに磁気回路部６１側の半田付部付近のスペースが狭くてフォーマー５６への接着作業が困難であった。
【００１１】
上記従来技術における問題点を解決するため、外部接続端子周りの構造において、部品点数を削減してコストダウンを図った磁気駆動型アクチュエータを本出願人は提案しており、以下その先願における磁気駆動型アクチュエータの構成を説明する。
図７は本出願人の先願における磁気駆動型アクチュエータの平面図、図８は図７のＣ−Ｃ断面図、図９は図７のＤ−Ｄ断面図である。
【００１２】
まず、この磁気駆動型アクチュエータの構成を説明する。図７から図９において、３１は磁気駆動型アクチュエータであり、３３は樹脂成形品から成る磁気駆動型アクチュエータ３１の筐体であるサブパネルであり、外筒部３３ａと内筒部３３ｂとの間を上端において接続した形状を成しており、上面は内筒部３３ｂから内側へ張り出した上部開口３３ｃをもっている。また、上面には空気逃がし部として５カ所の凹部３３ｄが形成されている。サブパネル３３の上面の一辺は外筒部３３ａから延出して延出部３３ｅとなっている。
【００１３】
３７は波形にくびれた略逆Ｕ字形断面を有する環状のダンパーであり、両下端は直角に外側へ曲げられている。３８は磁性体から成る皿状のヨークである。４１はヨーク３８、磁石９及びトッププレート１０とで構成されている磁気回路部である。
【００１４】
１３はサブパネル３３の延出部３３ｅにインサート成形されているリードフレームであり、リードフレーム１３上にはユーザー端子１３ａと、コイル端末５ａを直接半田付けする配線パターン１３ｂとが形成されている。１４はその半田付部である。１５はボイスコイル５から半田付部１４までのコイル端末５ａを覆っている樹脂による保護コートである。
【００１５】
その他の構成は従来の磁気駆動型アクチュエータ５１と同様なので同じ構成要素には同じ符号と名称とを付して詳細な説明を省略する。また、この磁気駆動型アクチュエータ３１の作用も磁気駆動型アクチュエータ５１のものと同様である。
【００１６】
次に、上記先願における磁気駆動型アクチュエータ３１の効果について説明する。サブパネル３３側の振動量は磁気回路部４１側に比べて小さいために、コイル端末５ａの配線は品質的に安定する。また、サブパネル３３側へコイル端末５を這わせ、コイル端末５ａを保護コート１５で保護することにより、錦糸線を使用する必要がない。このため、コイル端末５ａと錦糸線との半田付け作業と、この半田付部をフォーマーなどに接着する作業が不要になる。また、ダンパー３７の外側面にコイル５を配設したので従来のフォーマーが不要になった。これらによって、部品費と工数削減によるコストダウン効果がある。また、ユーザー端子１３ａを延出部３３ｅの上下両面に露出させたので、磁気駆動型アクチュエータ３１を搭載する機器の基板への接続に好都合であり、延出部３３ｅの下面側のスペースがリード線の引き回しや配置などで有効に活用できる効果がある。
【００１７】
【特許文献１】特開２００３−１４３６９０号公報（図１、第３頁）
【発明の開示】
【発明が解決しようとする課題】
【００１８】
上記先願の磁気駆動型アクチュエータは外部接続端子周りの構造において、部品点数を削減してコストダウンを達成できるという多くの効果を有する。しかしながら、先願の磁気駆動型アクチュエータはサブパネルの一部を磁気回路部の外周部より外側に突出させた延出部を形成し、該延出部にコイル端子を設けてボイスコイルのコイル端末を接続する構成としているため、磁気回路部の振動時にサブパネル上に設けられたコイル端末とその保護コートに振動している磁気回路部がぶつかる危険性があり、そのため前記磁気回路部とサブパネルの間隔を大きくする必要があった。この結果磁気駆動型アクチュエータの厚みが大きくなるという問題が生じた。
【００１９】
本発明はこのような先願の問題をさらに解決するためになされたものであり、その目的は、外部接続端子周りの構造において、部品点数を削減してコストダウンを図ると同時に、薄型化を図った磁気駆動型アクチュエータを提供することである。
【課題を解決するための手段】
【００２０】
前述した目的を達成するための本発明の手段は、  磁気駆動型アクチュエータの筐体であるサブパネルにボイスコイルとダンパーの一端とを固定するとともに、前記ダンパーの他端をヨークとこのヨーク上に固定された磁石とこの磁石上に固定されたトッププレートとから成る磁気回路部に固定して成る磁気駆動型アクチュエータにおいて、前記サブパネルの一部を前記磁気回路部の外周部より外側に突出させた延出部を形成し、該延出部にコイル端子を設けて前記ボイスコイルのコイル端末を接続するとともに、前記ヨークにおける前記延出部のコイル端末通過部分に対応する位置に、切欠部を形成したことを特徴とする。
【００２１】
また前記サブパネルの延出部にリードフレームを埋設し、該リードフレームに前記コイル端子を形成したことを特徴とする。
【００２２】
さらに前記リードフレームの一部はユーザー端子として前記延出部の上下両面に露出していることを特徴とする。
【発明の効果】
【００２３】
本発明によれば、磁気駆動型アクチュエータの筐体であるサブパネルにボイスコイルとダンパーの一端とを固定するとともに、前記ダンパーの他端をヨークとこのヨーク上に固定された磁石とこの磁石上に固定されたトッププレートとから成る磁気回路部に固定して成る磁気駆動型アクチュエータにおいて、前記サブパネルの一部を前記磁気回路部の外周部より外側に突出させた延出部を形成し、該延出部にコイル端子を設けて前記ボイスコイルのコイル端末を接続することにより、部品点数の削減、コストダウン、作業の簡略化、工数の削減を達成することができ、更に前記ヨークにコイル端末処理部を逃げるための切欠部を形成したことで、薄型化を達成した磁気駆動型アクチュエータを得ることができた。
【発明を実施するための最良の形態】
【００２４】
以下、本発明の実施の形態を図面に基づいて詳細に説明する。図１は本発明の最良の実施形態である磁気駆動型アクチュエータの平面図、図２は図１のＡ−Ａ断面図、図３は図１のＢ−Ｂ断面図、図４は本発明のヨークの斜視図である。以下本発明の実施の形態の説明において、図７から図９に示す前記先願の磁気駆動型アクチュエータと同一要素には同一番号を付し、説明を省略する。
【００２５】
まず、この磁気駆動型アクチュエータの構成を説明する。図１から図４において、１は磁気駆動型アクチュエータであり、３は樹脂成形品から成る磁気駆動型アクチュエータ１の筐体であるサブパネルであり、外筒部３ａと内筒部３ｂとの間を上端において接続した形状を成しており、上面は内筒部３ｂから内側へ張り出して上部開口３ｃをもっている。また、上面には空気逃がし部として５カ所の凹部３ｄが形成されている。サブパネル３の上面の一辺は外筒部３ａから延出して延出部３ｅとなっている。
【００２６】
７は波形にくびれた略逆Ｕ字形断面を有する環状のダンパーであり、両下端は直角に外側へ曲げられている。８は磁性体から成る皿状のヨークであり、切欠部８ａが設けられている。１１はヨーク８、磁石９及びトッププレート１０とで構成されている磁気回路部である。
【００２７】
その他の構成は先願の磁気駆動型アクチュエータ３１と同様であり、前述のごとく同じ構成要素には同じ符号付して説明を省略する。また、この磁気駆動型アクチュエータ１の作用も磁気駆動型アクチュエータ３１のものと同様である。
【００２８】
次に先願の磁気駆動型アクチュエータ３１と本発明の最良の実施形態である磁気駆動型アクチュエータ１との構成上の違いに付いて説明する。図４に示すごとく本発明の磁気駆動型アクチュエータ１におけるヨーク８には切欠部８ａが設けられており、この切欠部８ａは図２に示すごとく、前記サブパネル３の延出部３ｅに配線されたコイル端末５ａと、これを保護する保護コート１５によるコイル端末通過部に対応する位置に設けられ、このコイル端末通過部を逃げる構成となっている。
【００２９】
すなわち、磁気駆動型アクチュエータ１においては前記ヨーク８の切欠部８ａによって端末処理部を逃げることができるため、サブパネル３と磁気回路部１１との間隔を切欠部８ａの深さだけ近づけることが可能となった。この結果前記ダンパー７とサブパネル３の外筒部３ａの高さを低くする事ができることによって、図９に示す先願の磁気駆動型アクチュエータ３１の高さＨ１に対して、図３に示す本発明の磁気駆動型アクチュエータ１の高さＨ２を低くして薄型化を達成している。
【００３０】
次に、本発明の実施形態の効果について説明する。先願と同様サブパネル３側の振動量は磁気回路部１１側に比べて小さいために、コイル端末５ａの配線は品質的に安定する。また、サブパネル３側へコイル端末５ａを配線し、保護コート１５で保護することにより錦糸線を使用する必要がない。このため、コイル端末５ａと錦糸線との半田付け作業と、この半田付部をフォーマーなどに接着する作業が不要になる。また、ダンパー７の外側面にボイスコイル５を配設したので従来のフォーマーが不要になった。これらによって、部品費と工数削減によるコストダウン等の先願と同様の効果に加え、ヨークに設けた切欠部８ａによって磁気駆動型アクチュエータとしての特性を低下させることなく薄型化を達成できる効果を有する。
【産業上の利用可能性】
【００３１】
本発明の多機能型スピーカは、携帯電話やＰＤＡ等の移動体通信機器及びゲーム機器等に広く適用できる。
【図面の簡単な説明】
【００３２】
【図１】本発明の実施の形態である磁気駆動型アクチュエータの平面図である。
【図２】図１のＡ−Ａ断面図である。
【図３】図１のＢ−Ｂ断面図である。
【図４】本発明の磁気駆動型アクチュエータに用いるヨークの斜視図である。
【図５】従来の磁気駆動型アクチュエータの平面図である。
【図６】図５のＥ−Ｅ断面図である。
【図７】先願の磁気駆動型アクチュエータの平面図である。
【図８】図７のＣ−Ｃ断面図である。
【図９】図７のＤ−Ｄ断面図である。
【符号の説明】
【００３３】
１、３１，５１  磁気駆動型アクチュエータ
３、３３，５３  サブパネル
３ａ            外筒部
３ｂ            内筒部
３ｅ            延出部
５              ボイスコイル
５ａ            コイル端末
７、３７，５７  ダンパー
８、３８，５８  ヨーク
８ａ            切欠部
９              磁石
１０            トッププレート
１１、４１，６１  磁気回路部
１３            リードフレーム
１３ａ          ユーザー端子
【図１】
2006166150.tif 000003
【図２】
2006166150.tif 000004
【図３】
2006166150.tif 000005
【図４】
2006166150.tif 000006
【図５】
2006166150.tif 000007
【図６】
2006166150.tif 000008
【図７】
2006166150.tif 000009
【図８】
2006166150.tif 000010
【図９】
2006166150.tif 000011